(57)【要約】【課題】外装容器と内装容器との二重構造をとりつつ，内装容器の蓋の取り外しが容易な収納容器を提供すること。【解決手段】本発明の収納容器は，外装容器２と，その内部に装着される内装容器３と，内装容器３の開口部を閉鎖する蓋４とを有している。これらはいずれも樹脂材料製である。そして，内装容器３における開口部の周囲に蓋４の方を向く第１閉鎖面４１が形成されており，蓋４の縁辺に閉鎖状態で第１閉鎖面４１に接する第２閉鎖面４５が形成されており，第１閉鎖面４１および第２閉鎖面４５の外縁側にはそれぞれ，閉鎖状態で連続状となる第１凹部４２と第２凹部４３とが形成されている。【選択図】図９
2019214406.tif 000002
【特許請求の範囲】
【請求項１】
いずれも樹脂材料製である，外装容器と，前記外装容器の内部に装着される内装容器と，前記内装容器の開口部を閉鎖する蓋とを有する収納容器であって，
前記内装容器における前記開口部の周囲に前記蓋の方を向く第１閉鎖面が形成されており，
前記蓋の縁辺に閉鎖状態で前記第１閉鎖面に接する第２閉鎖面が形成されており，
前記第１閉鎖面および前記第２閉鎖面の外縁側にはそれぞれ，閉鎖状態で連続状となる第１凹部と第２凹部とが形成されていることを特徴とする収納容器。
【請求項２】
請求項１に記載の収納容器であって，
前記蓋の前記第２凹部には，前記第１閉鎖面から離れるほど前記外装容器に近づく傾斜外面が形成されていることを特徴とする収納容器。
【請求項３】
請求項１または請求項２に記載の収納容器であって，
前記第１閉鎖面と前記第２閉鎖面とが，閉鎖状態にて，前記第１凹部および前記第２凹部の奥側の位置においても接触していることを特徴とする収納容器。
【請求項４】
請求項１から請求項３までのいずれか１つに記載の収納容器であって，
前記内装容器の側壁部の外面に，前記外装容器への装着状態にて前記外装容器の側壁部の内面との間に隙間を形成する凸部が設けられており，
前記第１凹部は，前記内装容器における前記凸部が設けられている側壁部に形成されていることを特徴とする収納容器。
【請求項５】
請求項１から請求項４までのいずれか１つに記載の収納容器であって，
前記蓋には，閉鎖状態にて前記第１凹部の空間の上方に位置するステップ形状部が設けられていることを特徴とする収納容器。
【発明の詳細な説明】
【技術分野】
【０００１】
本発明は，収納物を収納する収納容器であって，外形を維持する外装容器と，その内側に装着されて外界からの断熱を担当する内装容器との二重構造をとるものに関する。
【背景技術】
【０００２】
従来から，比較的剛性の高い外装容器の内側に，ある程度の柔軟性を持ちつつ断熱性が高い内装容器を装着して，保冷もしくは保温機能を持たせるようにした収納容器が知られている。特許文献１に記載のものもその一例である。この種の二重構造の収納容器では通常，内装容器が外装容器に対して脱着可能になっている。特許文献１の保温コンテナもそうである。
【０００３】
同文献の保温コンテナでは，その図１中に「１０」で示されるものが外装体（外装容器）であり，「２０」で示されるものが内装体（内装容器）である。「３０」は内装体の蓋である。このうちの「外装体１０」を見ると，その両短辺における側壁部分に取っ手用の「貫通口１２」が設けられている。これに合わせて「内装体２０」の側壁部には外向きに「凸部２２」が設けられている。そして同文献の図３を見ると，「内装体２０」を「外装体１０」の内側に装着した状態の断面図が描かれている。この断面図の状態では，「凸部２２」が「貫通口１２」に入り込んでいる。これにより，「内装体２０」が「外装体１０」からひとりでに外れてしまうことがないようにされている。
【先行技術文献】
【特許文献】
【０００４】
【特許文献１】特開平１０−１７０３１号公報
【発明の概要】
【発明が解決しようとする課題】
【０００５】
しかしながら前記した従来の収納容器には，次のような問題点があった。すなわち，「蓋３０」の「内装体２０」からの取り外しが実際にはしにくいのである。同文献の収納容器（保温コンテナ）では，「蓋３０」の一部に「切り込み３３」を設けている。これが「蓋３０」の取り外しのための形状である。しかし同文献の図３から明らかなように，「切り込み３３」の空間は，「蓋３０」と「外装体１０」の内面との間のごく狭い隙間に過ぎない。このことは，「切り込み３３」を「蓋３０」の縁辺に沿って幅広に設けたとしても変わりない。
【０００６】
本発明は，前記した従来の技術が有する問題点を解決するためになされたものである。すなわちその課題とするところは，外装容器と内装容器との二重構造をとりつつ，内装容器の蓋の取り外しが容易な収納容器を提供することにある。
【課題を解決するための手段】
【０００７】
本発明の一態様における収納容器は，いずれも樹脂材料製である，外装容器と，その内部に装着される内装容器と，内装容器の開口部を閉鎖する蓋とを有している。そして，内装容器における開口部の周囲に蓋の方を向く第１閉鎖面が形成されており，蓋の縁辺に閉鎖状態で第１閉鎖面に接する第２閉鎖面が形成されており，第１閉鎖面および第２閉鎖面の外縁側にはそれぞれ，閉鎖状態で連続状となる第１凹部と第２凹部とが形成されている。
【０００８】
上記態様における収納容器では，内装容器の開口部を蓋で閉鎖している状態では，内装容器の第１閉鎖面と蓋の第２閉鎖面との接触により，断熱性を奏する。ここで，第１閉鎖面および第２閉鎖面の第１凹部と第２凹部とが，閉鎖状態では連続しており，ある程度広いスペースとなっている。よってここに指先を挿し入れることで，蓋を容易に上昇させることができる。つまり蓋の閉鎖状態からの取り外しが容易である。
【０００９】
上記態様の収納容器ではさらに，蓋の第２凹部に，第１閉鎖面から離れるほど外装容器に近づく傾斜外面が形成されていることが望ましい。これにより，蓋と外装容器との間の隙間が確保され，蓋の取り外しのための指先の挿入スペースが確保されるからである。さらに，第１凹部および第２凹部に挿し込んだ指先を上昇させることで，傾斜外面の傾斜の向きにより，自然に蓋も持ち上げられるからである。
【００１０】
上記のいずれかの態様の収納容器ではまた，第１閉鎖面と第２閉鎖面とが，閉鎖状態にて，第１凹部および第２凹部の奥側の位置においても接触していることが望ましい。このようになっていれば，第１凹部および第２凹部が，内装容器と蓋との閉鎖状態の断熱性をあまり害しない。
【００１１】
上記のいずれかの態様の収納容器ではまた，内装容器の側壁部の外面に，外装容器への装着状態にて外装容器の側壁部の内面との間に隙間を形成する凸部が設けられており，第１凹部は，内装容器における凸部が設けられている側壁部に形成されていることが望ましい。このようになっていれば，閉鎖状態での蓋と外装容器との間にもある程度の隙間が形成される。このため蓋の取り外しの際，当該隙間を通して，第１凹部や第２凹部の空間へ容易に手先を挿入できる。
【００１２】
上記のいずれかの態様の収納容器ではさらに，蓋に，閉鎖状態にて第１凹部の空間の上方に位置するステップ形状部が設けられていることが望ましい。このようになっていれば，蓋の取り外しのために挿し込んだ指先の上にステップ形状部が掛かる状態となる。このため，蓋の取り外しがさらに容易である。
【発明の効果】
【００１３】
本構成によれば，外装容器と内装容器との二重構造をとりつつ，内装容器の蓋の取り外しが容易な収納容器が提供されている。
【図面の簡単な説明】
【００１４】
【図１】本形態の収納容器をパーツごとに分離して示す斜視図である。
【図２】本形態の収納容器の内部に装着される保冷剤を示す斜視図である。
【図３】本形態の収納容器を逆さに伏せた状態でパーツごとに分離して示す斜視図である。
【図４】外装容器に内装容器を装着した状態を示す斜視図である。
【図５】図４の状態に対して蓋をセットした状態を示す斜視図である。
【図６】内装容器の要部を示す斜視図である。
【図７】蓋の要部を示す斜視図である。
【図８】蓋の要部の裏面側を示す斜視図である。
【図９】外装容器に内装容器および蓋を装着した状態を示す断面図である。
【図１０】第１凹部の形状についての変形例を示す断面図である。
【図１１】第１凹部および第２凹部の形状についての変形例を示す断面図である。
【図１２】本形態の収納容器を段積み状態で示す斜視図である。
【図１３】本形態の収納容器を段積み状態で示す断面図である。
【発明を実施するための形態】
【００１５】
以下，本発明を具体化した実施の形態について，添付図面を参照しつつ詳細に説明する。本形態は，図１に示される収納容器１として本発明を具体化したものである。図１の収納容器１は，外装容器２と，内装容器３と，蓋４とにより構成されている。外装容器２は，収納容器１における外形をなし必要な強度を有するパーツである。内装容器３は，収納容器１において実際に収納物を収納するパーツである。内装容器３の主な機能は，断熱性や衝撃緩和性である。蓋４は，内装容器３の開口部を閉鎖するパーツである。
【００１６】
外装容器２，内装容器３，蓋４の素材はいずれも，合成樹脂である。ただし，外装容器２と内装容器３とでは材料樹脂の種類が異なる。外装容器２の材料樹脂と内装容器３の材料樹脂とを比較すると，後者の方がより柔軟性が高く断熱性も高いものである。樹脂の種類そのものには特段の限定はないが，外装容器２を非発泡樹脂（例えばポリプロピレン等）で，内装容器３を発泡樹脂（例えば発泡ポリプロピレン，発泡ポリエチレン，発泡スチロール等）で形成することにより上記を達成することができる。蓋４の素材は内装容器３と同じものでよい。
【００１７】
外装容器２および内装容器３はいずれも，全体の概略形状としては，上方が開口した箱形の形状である。すなわち外装容器２は，長方形状の底面部２１と，その両長辺に対して上方側に設けられた長辺側壁部２３と，両短辺に対して上方側に設けられた短辺側壁部２４とを有している。底面部２１には多数の孔２５が形成されている。各長辺側壁部２３には孔２６が形成されている。各短辺側壁部２４には，取っ手２７が形成されている。取っ手２７は，短辺側壁部２４の幅方向（短辺側壁部２４を上方から見たときのその長手方向）の中央に位置している。
【００１８】
内装容器３も，長方形状の底面部３１と，その両長辺に対して上方側に設けられた長辺側壁部３３と，両短辺に対して上方側に設けられた短辺側壁部３４とを有している。内装容器３の内部には，仕切り形状部３５が設けられている。仕切り形状部３５は，長辺側壁部３３および短辺側壁部３４の内面から連続して設けられている。仕切り形状部３５は，内装容器３の内部の収納空間の一部を仕切って，図２に示す保冷剤５を装着する箇所とするものである。
【００１９】
内装容器３の長辺側壁部３３の外面には，凸状の係止部３６および位置決め凸部３７が設けられている。係止部３６は，図１中では手前側の長辺側壁部３３のものしか見えていないが，背面側の長辺側壁部３３の外面にも同様に形成されている。位置決め凸部３７は，内装容器３の短辺側壁部３４の外面にも設けられている。なお内装容器３には，外装容器２に設けられているような孔は設けられていない。また，内装容器３の長辺側壁部３３の内面には，凹部４０が形成されている。凹部４０が形成されている位置は，係止部３６が設けられている位置の裏側である。
【００２０】
外装容器２，内装容器３，蓋４をそれぞれ逆さに伏せた状態での斜視図を図３に示す。なお蓋４は，底面部２１および底面部３１の全体形状とほほ同じ長方形状の板状の部材である。
【００２１】
図４に，外装容器２に内装容器３を装着した状態での斜視図を示す。図４に示される状態の収納容器１では，蓋４は装着していない。一方で図４の収納容器１では，図２に示した保冷剤５が装着されている。図２中の保冷剤５は，内装容器３における短辺側壁部３４と仕切り形状部３５との間の空間に保持されている。
【００２２】
さらに図４では，内装容器３の係止部３６が，外装容器２の孔２６を通して外部に張り出している。つまり，凸状の係止部３６が，貫通孔である孔２６に内面側から入り込んで引っ掛かった状態となっている。つまり孔２６は，係止部３６が引っ掛かる被係止部として機能している。これにより図４の収納容器１では，内装容器３が外装容器２からひとりでには外れないようになっている。ただし，内装容器３は前述のように柔軟性のものであるから，外側から係止部３６を意図的に押し込んで孔２６との引っ掛かりを解除すれば，内装容器３を外装容器２から取り外すことができる。特に，係止部３６の裏が凹部４０になっており肉薄なので，係止部３６を押し込みやすい。図４の状態に対してさらに蓋４をセットした状態を図５に示す。図５の状態では，内装容器３の開口部が蓋４により閉鎖されている。
【００２３】
続いて，本形態の収納容器１における本発明としての要部を説明する。本形態の収納容器１の特徴点は，図５に示される閉鎖状態からの蓋４の取り外しにある。そこで，内装容器３および蓋４における，当該取り外しに関する形状を含む部分の拡大図を，図６（内装容器３），図７（蓋４）に示す。図６に示すように，内装容器３の長辺側壁部３３および短辺側壁部３４の上端には，上端面（第１閉鎖面）４１が形成されている。上端面４１は，内装容器３開口部の周囲の全体にわたって設けられている。上端面４１は，蓋４の方を向いている。そして上端面４１の一部に，第１凹部４２が形成されている。第１凹部４２は，内装容器３の短辺側壁部３４の上端の部位に，上方側かつ外側から抉られた形状に形成されている。
【００２４】
一方，図７に示すように，蓋４には第２凹部４３が形成されている。第２凹部４３は，蓋４の短辺に形成されている。図７に示される蓋４を裏面側から見た状況を図８に示す。図８に示されるように蓋４の裏面には，縁辺の少し内側に凸状部４４が形成されている。凸状部４４の外側には，平坦な縁辺面（第２閉鎖面）４５が形成されている。凸状部４４および縁辺面４５は蓋４の全周にわたって形成されている。第２凹部４３は，蓋４の短辺における縁辺面４５の一部に，図８中にて上方側かつ外側から抉られた形状に形成されている。第２凹部４３はまた，蓋４の外面，すなわち図８中にて下側となり図７中にて上向きとなっている面にも及んで形成されている。
【００２５】
図９に，本形態の収納容器１の断面図を示す。図９の断面図は，外装容器２に内装容器３および蓋４を装着した状態における，長辺と平行な方向の縦断面を示している。断面位置は，短辺方向の中央である。図９では，内装容器３の仕切り形状部３５に保冷剤５を装着している状態を描いている。図９ではまた，内装容器３が位置決め凸部３７により外装容器２に対して位置決めされている状況も現れている。図９に見るように蓋４の閉鎖状態では，蓋４の裏面の凸状部４４が内装容器３の開口部に嵌り込んでその内面に接している。また，内装容器３の上端面４１と蓋４の縁辺面４５とが接触することで，内装容器３の内部空間を外界から隔離している。
【００２６】
図９には，内装容器３の第１凹部４２および蓋４の第２凹部４３も現れている。図９から明らかなように第１凹部４２と第２凹部４３とは，蓋４の閉鎖状態では向き合って連続状をなしている。したがって，第１凹部４２と第２凹部４３とで，かなり広い空間が形成されている。このため，閉鎖状態にある収納容器１から蓋４を取り外す動作がやりやすい。第１凹部４２および第２凹部４３の広い空間に容易に指先を挿入して蓋４を持ち上げることができるからである。
【００２７】
また図９から，外装容器２の短辺側壁部２４の内面と内装容器３の短辺側壁部３４の外面との間に隙間があることが分かる。この隙間は前述の位置決め凸部３７により形成されている。位置決め凸部３７のこの隙間を形成する作用は，蓋４の取り外しやすさにも貢献している。この作用により，蓋４と外装容器２との間にも若干の隙間が形成されるからである。第１凹部４２等が設けられている側壁部と同一の側壁部（ここでは短辺側壁部３４）に位置決め凸部３７が設けられていることにより，第１凹部４２や第２凹部４３の空間への指先の挿入がしやすいのである。
【００２８】
なお，図１，図３，図６に示されるように，長辺側壁部３３および短辺側壁部３４の外面における位置決め凸部３７に隣接する範囲は，凹部３９となっている。この凹部３９が形成されていることで，位置決め凸部３７を圧縮しつつ内装容器３を外装容器２に挿入する動作がやりやすくなっている。位置決め凸部３７の圧縮による変形の影響が，長辺側壁部３３および短辺側壁部３４のうち凹部３９より外側にはあまり及ばないからである。
【００２９】
図９からはまた，第２凹部４３に，内装容器３の上端面４１から離れるほど外装容器２に近づく傾斜外面４６が形成されていることが分かる。この傾斜外面４６も，蓋４の取り外しやすさに貢献している。第１凹部４２および第２凹部４３の空間に挿入した指先を上昇させると，傾斜外面４６の傾斜の向きにより，自然に指先に蓋４が引っ掛かって一緒に持ち上がってくるからである。
【００３０】
また，図９から，第１凹部４２および第２凹部４３の箇所においても，その奥側の位置で上端面４１と縁辺面４５とが接触していることが分かる。つまり，上端面４１と縁辺面４５とは，第１凹部４２および第２凹部４３の箇所を含めて，内装容器３の開口部の全周にわたって接触しているのである。このため，第１凹部４２および第２凹部４３が設けられていてもそのことにより，内装容器３および蓋４の断熱性はほとんど阻害されていない。もし，第１凹部４２および第２凹部４３の箇所で上端面４１と縁辺面４５との接触が途切れていると，その分，収納容器１の保冷性，保温性が悪いことになる。しかし本形態ではそのようなことはない。
【００３１】
ここで，第１凹部４２および第２凹部４３の変形例を説明する。図１０に示すのは，内装容器３の第１凹部４２を，図９に示した場合よりもさらに内側まで掘り込んだ形状とした変形例である。この変形例では，蓋４の第２凹部４３の箇所において，縁辺面４５の一部が，ステップ形状部４７となっている。ステップ形状部４７の下方は，第１凹部４２の空間となっている。このようになっていると，ステップ形状部４７に指を掛けやすいので，蓋４の取り外しがさらにやりやすい。
【００３２】
図１１に示すのは，第１凹部４２だけでなく第２凹部４３も内側まで掘り込んだ形状とした変形例である。この変形例では，蓋４の厚さの中腹辺りにステップ形状部４７が位置する。ステップ形状部４７の下方は，第２凹部４３の空間および第１凹部４２の空間となっている。このようになっていると，ステップ形状部４７の下方の空間が広く，ステップ形状部４７により指を掛けやすい。また，図１０，図１１のいずれの変形例でも，第１凹部４２および第２凹部４３の箇所においても，その奥側の位置で上端面４１と縁辺面４５とが接触している。
【００３３】
また，本形態の収納容器１は，図１２や図１３に示すように段積み状態で使用することもできるものである。図１３では第１凹部４２，第２凹部４３の形状として図９に示した形状を描いているが，図１０または図１１の変形例として示した形状であってもよい。
【００３４】
以上詳細に説明したように本実施の形態の収納容器１によれば，内装容器３，蓋４に第１凹部４２，第２凹部４３を設けている。これにより，閉鎖状態から蓋４を取り外すために手先を差し込むスペースを確保している。こうすることで，外装容器２と内装容器３との二重構造をとりつつ，内装容器３の蓋４の取り外しが容易な収納容器１が実現されている。また，このような蓋４の取り外し動作のためのスペースを設けつつ，内装容器３と蓋４との気密性を維持している。
【００３５】
なお，本実施の形態は単なる例示にすぎず，本発明を何ら限定するものではない。したがって本発明は当然に，その要旨を逸脱しない範囲内で種々の改良，変形が可能である。例えば本形態では，第１凹部４２，第２凹部４３の幅方向寸法を，内装容器３の短辺方向の全幅に対して約３分の１程度とした（図６等）が，もっと狭くてもよい。最低限，指１本分の幅があれば本発明は成立する。また，取っ手２７や仕切り形状部３５，係止部３６，位置決め凸部３７，凹部４０，凸状部４４等，他の部分の形状については任意である。また本形態では，第１凹部４２や第２凹部４３を短辺側の位置に設けたが，長辺側の位置に設けてもよい。
【符号の説明】
【００３６】
１    収納容器
２    外装容器
３    内装容器
４    蓋
３７  位置決め凸部
４１  上端面（第１閉鎖面）
４２  第１凹部
４３  第２凹部
４５  縁辺面（第２閉鎖面）
４６  傾斜外面
４７  ステップ形状部
【図１】
2019214406.tif 000003
【図２】
2019214406.tif 000004
【図３】
2019214406.tif 000005
【図４】
2019214406.tif 000006
【図５】
2019214406.tif 000007
【図６】
2019214406.tif 000008
【図７】
2019214406.tif 000009
【図８】
2019214406.tif 000010
【図９】
2019214406.tif 000011
【図１０】
2019214406.tif 000012
【図１１】
2019214406.tif 000013
【図１２】
2019214406.tif 000014
【図１３】
2019214406.tif 000015